(57)【要約】      （修正有）【課題】術野の清潔を維持することができるとともに、破損等が生じることなく容易且つ確実に支柱に固定することのできるサージカルドレープを提供する。【解決手段】平布にて形成したドレープ本体１に、手術台に固定した支柱を挿通可能とする挿通穴４，５を設け、この挿通穴４，５を被覆可能とする被覆部材８，１０をドレープ本体１に固定配置するとともに、この被覆部材８，１０とドレープ本体１との間隔に、支柱を挿通可能とする開口間隔を設け、この開口間隔を介して支柱を挿通穴４に挿通可能とする。【選択図】図１
0003180478.tif 000002
【実用新案登録請求の範囲】
【請求項１】
平布にて形成したドレープ本体に、手術台に固定した支柱を挿通可能とする挿通穴を設け、この挿通穴を被覆可能とする被覆部材をドレープ本体に固定配置するとともに、この被覆部材とドレープ本体との間隔に、支柱を挿通可能とする開口間隔を設け、この開口間隔を介して支柱を挿通穴に挿通可能としたことを特徴とするサージカルドレープ。
【考案の詳細な説明】
【技術分野】
【０００１】
本考案は、手術の際に患者に被覆するサージカルドレープに関するものである。
【背景技術】
【０００２】
特許文献１に示す如く、サージカルドレープは手術の際に患者の患部外周を被覆するものであって、術野の清潔の保持、患者の血液や体液の飛散による感染防止等のために使用されている。
【０００３】
そして、手術によっては図５に示す如く、ケント牽引開創器等の手術補助具(50)を接続するための支柱(53)を手術台(51)に設ける場合がある。このような場合には、支柱(53)を手術台(51)に接続固定するための未滅菌のジョイント部材(52)や、手術台等の不潔部分をサージカルドレープにて被覆して術野の清潔を保つ必要があった。そこで従来では、ジョイント部材(52)の上から支柱(53)の外周にサージカルドレープを隙間なく巻き付け、ジョイント部材(52)や手術台(51)を清潔領域側に露出困難とする方法が知られている。
【０００４】
また、支柱やジョイント部材(52)を事前に滅菌処理して清潔状態とし、このジョイント部材(52)をサージカルドレープの上から手術台(51)にセットすることにより、支柱(53)及びジョイント部材(52)をサージカルドレープの表面とともに清潔状態とし、不潔部分である手術台(51)を露出困難とする方法も知られている。
【０００５】
更に、使い捨てのサージカルドレープを使用する場合には、サージカルドレープにその場で切り込みを入れ、この切り込みに支柱(53)を挿通し、不潔部分であるジョイント部材(52)や手術台(51)をサージカルドレープによって被覆することにより不潔部分を露出困難とする方法も知られている。
【先行技術文献】
【特許文献】
【０００６】
【特許文献１】特開２００２−２４８１１４号公報
【考案の開示】
【考案が解決しようとする課題】
【０００７】
しかしながら、サージカルドレープを支柱(53)に巻き付けた場合には、サージカルドレープが移動する等して支柱(53)の巻き付け部分と支柱(53)との間に隙間が生じ、サージカルドレープ内部の不潔部分が露出しやすいものとなっていた。また、サージカルドレープの上から滅菌済みのジョイント部材(52)を手術台(51)にセットした場合には、サージカルドレープがジョイント部材(52)に食い込むなどしてサージカルドレープが擦り切れたり破れたりする場合があった。
【０００８】
また、サージカルドレープに切り込みを入れて支柱(53)を挿通した場合には、サージカルドレープの切り込みからサージカルドレープ内における術野以外の不潔部分が露出する場合があり、このような場合には術野の清潔維持が困難となるとともに、サージカルドレープの切り込みから不潔領域が見え易いため医師等に不潔な印象を与える場合があった。そのため、切り込みを入れた場合には、この切り込みを被覆するための補助のサージカルドレープを必要とし、作業が煩雑なものとなっていた。
【０００９】
そこで、本考案は上述の如き課題を解決しようとするものであって、術野の清潔を保持することができるとともに、破損等が生じることなく容易且つ確実に支柱に固定することのできるサージカルドレープを得ようとするものである。
【課題を解決するための手段】
【００１０】
本考案は上述の如き課題を解決するため、平布にて形成したドレープ本体に、手術台に固定した支柱を挿通可能とする挿通穴を設け、この挿通穴を被覆可能とする被覆部材をドレープ本体に固定配置するとともに、この被覆部材とドレープ本体との間隔に、支柱を挿通可能とする開口間隔を設け、この開口間隔を介して支柱を挿通穴に挿通可能としたものである。
【考案の効果】
【００１１】
本考案は上述の如く構成したものであるから、挿通穴に支柱を挿通することによりサージカルドレープを破損することなく容易且つ確実に支柱に固定することができる。また、挿通穴を被覆可能とする被覆部材をドレープ本体に固定配置したものであるから、支柱を挿通した際にも被覆部材によって挿通穴の内部の視界が遮られて挿通穴からサージカルドレープ内の不潔部分が露出しにくいものとなり、サージカルドレープ表面の清潔を良好に保つことができる。
【図面の簡単な説明】
【００１２】
【図１】本考案の実施例１を示す平面図。
【図２】実施例１の部分拡大平面図。
【図３】実施例１において、挿通穴に支柱を挿通した状態を示す部分拡大斜視図。
【図４】(a)図２のＡ−Ａ線断面図。                                                  (b)図３のＢ−Ｂ線部分断面図。
【図５】従来例において手術補助具を接続した支柱を示す斜視図。
【実施例１】
【００１３】
本考案の実施例１について説明すると、図１に示す如く(１)は中央部に術野を露出可能とする開窓部(2)を設けた開腹手術用サージカルドレープのドレープ本体(1)であって、平布にて形成したものである。そして、このドレープ本体(1)の患者の頭部側(3)には、一対の挿通穴(4)(5)を左右両側に設けている。この挿通穴(4)(5)は図２に示す如くボタンホール状の長細い長円形であって、手術台(図示せず)に固定した支柱(6)を挿通可能なものとしている。
【００１４】
そしてドレープ本体(1)の裏面(7)側には、上記挿通穴(4)(5)の形成位置に対応する位置に、図２、図４(a)に示す如く挿通穴(4)(5)を被覆可能とする被覆部材(8)(10)を固定配置している。この被覆部材(8)(10)は、挿通穴(4)(5)を被覆可能とする大きさであって略長方形の布片にて形成している。
【００１５】
そして、この被覆部材(8)(10)の一方の長辺(11)及び一対の短辺(12)(13)に沿って縁部をドレープ本体(1)の裏面(7)に縫い付けている。一方、この被覆部材(8)(10)の他方の長辺(14)はドレープ本体(1)に縫い付けず開放状態とし、この開放部分であるドレープ本体(1)と被覆部材(8)(10)との間隔を開口間隔(15)としている。
【００１６】
上記の如く形成したサージカルドレープを使用する際には、手術台に固定した支柱(6)を図３に示す如く被覆部材(8)(10)の開口間隔(15)を介して挿通穴(4)(5)に挿通する。このように支柱(6)を挿通した場合でも、図３、図４に示す如く被覆部材(8)(10)が支柱(6)の外周にある挿通穴(4)(5)を被覆するものとなる。
【００１７】
これにより、サージカルドレープの内面側が被覆部材(8)(10)によって遮断されるため、サージカルドレープの内面側にある手術台等の不潔部分が露出しにくいものとなる。
従って、サージカルドレープの表面(16)を清潔に保つことができる。また、上記の如く挿
通穴(4)(5)に支柱(6)を挿通するという単純な作業のみでサージカルドレープを支柱(6)に容易に固定することができるため、サージカルドレープを破損することなく作業を効率良く円滑に進めることができる。
【符号の説明】
【００１８】
１  ドレープ本体 
４，５  挿通穴
６  支柱
８，１０  被覆部材
１５  開口間隔
【図１】
0003180478.tif 000003
【図２】
0003180478.tif 000004
【図３】
0003180478.tif 000005
【図４】
0003180478.tif 000006
【図５】
0003180478.tif 000007